【手続補正書】
【提出日】平成19年12月19日(2007.12.19)
【手続補正１】
【補正対象書類名】特許請求の範囲
【補正対象項目名】全文
【補正方法】変更
【補正の内容】
【特許請求の範囲】
【請求項１】
被検査体を取り囲む環状の軌道と、
前記軌道に装備されて、前記軌道を前記被検査体に取り付ける第１固定手段と、
前記軌道に沿って移動する周方向走査機構と、
前記軌道と直交する方向に、前記周方向走査機構から探触子ホルダを移動させる軸方向走査機構と、
前記探触子ホルダに取り付けられた探触子と、
前記軌道に取り付けられ、前記軌道と直交する方向において前記軌道から離れた位置で前記被検査体を取り囲むように配置される環状のガイドリングと、
前記ガイドリングに装備されて、前記ガイドリングを前記被検査体に取り付ける第２固定手段と、
を備えたことを特徴とする超音波探傷装置。
【請求項２】
請求項１において、前記軌道と前記ガイドリングとは同心状に配置され、前記軌道と前記ガイドリングとは前記軌道の周方向において間隔を開けて配置された複数の第１接続部材によって接続された超音波探傷装置。
【請求項３】
請求項１又は請求項２において、前記軌道及び前記ガイドリングは、前記軌道の周方向において少なくとも二分割され、分割された前記軌道はお互いの分割端部を接続及び分割自在とする複数の第２接続手段によって接続され、分割された前記ガイドリングはお互いの分割端部を接続及び分割自在とする複数の第３接続手段によって接続される超音波探傷装置。
【請求項４】
請求項１ないし請求項３のいずれか１項において、前記ガイドリングの最外周面は前記軌道と同心状にされ、ガイド車輪が前記最外周面に接触して回転するように前記周方向走査機構に取り付けられている超音波探傷装置。
【手続補正２】
【補正対象書類名】明細書
【補正対象項目名】００１１
【補正方法】変更
【補正の内容】
【００１１】
上記目的を達成するための本発明の特徴は、被検査体を取り囲む環状の軌道と、前記軌道に装備されて、前記軌道を前記被検査体に取り付ける第１固定手段と、前記軌道に沿って移動する周方向走査機構と、前記軌道と直交する方向に、前記周方向走査機構から探触子ホルダを移動させる軸方向走査機構と、前記探触子ホルダに取り付けられた探触子と、前記軌道に取り付けられ、前記軌道と直交する方向において前記軌道から離れた位置で前記被検査体を取り囲むように配置される環状のガイドリングと、前記ガイドリングに装備されて、前記ガイドリングを前記被検査体に取り付ける第２固定手段とを備えている事にある。
【手続補正３】
【補正対象書類名】明細書
【補正対象項目名】００１７
【補正方法】変更
【補正の内容】
【００１７】
各軌道１０ａ，１０ｂや各ガイドリング２０ａ，２０ｂの端部同士を接続する上述の接続手段は、回転ロッド４１ａ１と、回転ロッド４１ａ１の一端に固定接続した回転ロッド操作レバー４０ａ１と、接続する端部同士の一方に固定した嵌合金具１２と、他方の端部に形成されて嵌合金具１２を挿入できる穴１３とから構成され、回転ロッド操作レバー４０ａ１を回転させる事で各軌道１０ａ，１０ｂや各ガイドリング２０ａ，２０ｂの端部同士を同時に短時間で接続したり接続解除したり出来る。
【手続補正４】
【補正対象書類名】明細書
【補正対象項目名】００２６
【補正方法】変更
【補正の内容】
【００２６】
図１は本発明に係る超音波探傷装置の全体構成図、図２はそのガイドリング側から見た軌道及びガイドリングのみの側面図、図３は図１に示す超音波探触子走査機構の正面及び側面の拡大図、図４は図２の実施例で示す配管超音波探傷装置で、Ａ−Ａ矢視方向から見た断面図、図５は図１実施例での半円状軌道及びガイドリングの連結機構を示す図、図６は図４における嵌合金具と回転ロッドとの関係を示す図、図７は本願による配管超音波探傷装置の他の実施例である。
【手続補正５】
【補正対象書類名】明細書
【補正対象項目名】００３８
【補正方法】変更
【補正の内容】
【００３８】
図５は、上下２個の半円状の軌道１０ａ，１０ｂとガイドリング２０ａ，２０ｂが環状に一体化に連結する機構の具体的な実施例を示している。下側の半円状の軌道１０ｂ及びガイドリング２０ｂ端部には、凸型の嵌合金具１２が止め金具１４で固定している。一方、上側の半円状の軌道１０ａ及びガイドリング２０ａ端部には、円筒形状の穴１３が設けられており、この穴１３を貫通する形で回転ロッド１４ａ１が取り付けられている。
【手続補正６】
【補正対象書類名】明細書
【補正対象項目名】００３９
【補正方法】変更
【補正の内容】
【００３９】
この回転ロッド１４ａ１のガイドリング側の端部には、操作レバー４０ａ１が固定されており、この操作レバー４０ａ１の回転に連動する回転ロッド４１ａ１の回転により、上側と下側の軌道及びガイドリングが機械的に連結される。ここで説明した嵌合金具１２と回転ロッド４１ａ１の関係を示すのが図６である。
【手続補正７】
【補正対象書類名】明細書
【補正対象項目名】００４０
【補正方法】変更
【補正の内容】
【００４０】
図６において、（ａ−１），（ａ−２），（ａ−３）が上下の半円状軌道及びガイドリングが連結される前の状態、（ｂ−１），（ｂ−２），（ｂ−３）が連結後の状態を示している。なお、（ａ−１），（ｂ−１）が側面図、（ａ−２），（ｂ−２）が正面図、（ａ−３），（ｂ−３）が平面図を示している。嵌合金具４１は、側面図（ａ−１），（ｂ−１）に示すように、上部右半分を削り取った形状とし、（ａ−３），（ｂ−３）の平面図で確認できる回転ロッド４１の部分的に削り取った部分が機械的に干渉しないように考慮されている。このような構造とすることにより、操作レバー４０を回転するだけで半円状の上下軌道及びガイドリングは、強固に連結することができる。
【手続補正８】
【補正対象書類名】明細書
【補正対象項目名】００４２
【補正方法】変更
【補正の内容】
【００４２】
図７（ａ）において、上側の固定ボルト１９の右側先端部の位置Ａ及び下側の固定ボルト１９の左側先端部の位置Ｅで固定ボルト１９の一部が配管５０に接触しており、位置Ａからの垂線が配管５０の底面と交差する位置をＢ、位置Ａと下側固定ボルト１９の右側面を結ぶ線が配管５０の底面と交差する位置をＣ、下側固定ボルトの右側先端位置をＥ、軌道の垂直方向に対する傾きをθ、とする。軌道を配管５０に設置する場合、理想的には、上記の軌道の傾きθをゼロにすることが理想的であるが、実際にはゼロにすることは不可能であるため、実際的にはＢ−Ｃ間の距離Δが１mm程度以下になるように調整している。上記の条件では、幾何学的な関係から、式（１），（２）が導かれる。
【手続補正９】
【補正対象書類名】明細書
【補正対象項目名】００５４
【補正方法】変更
【補正の内容】
【００５４】
１０ａ，１０ｂ…軌道、１２…嵌合金具、１６…ラック、１８ａ１，１８ａ２，１８ａ３，１９ａ１，１９ａ２，１９ａ３…固定ボルト、２０ａ，２０ｂ…ガイドリング、２２…穴、３０ａ１，３０ａ２，３０ａ３，３０ａ４，３０ｂ１，３０ｂ２，３０ｂ３，３０ｂ４…パイプ、４０ａ１，４０ａ２…回転ロッド操作レバー、４１ａ１，４１ａ２…回転ロッド、５０…配管、５２…溶接線、５８…支持体、６０，６２…モータ、６５ａ，６５ｂ…ボールプランジャ、６６…間隔調節ねじ、６７…ボールスクリュー、６８…ガイドロッド、７０…探触子、７２…探触子ホルダ、８０…ローラ。
【手続補正１０】
【補正対象書類名】図面
【補正対象項目名】図７
【補正方法】変更
【補正の内容】
【図７】
2007132726.tif 000001